(57)【要約】【課題】コンテナを移送する際などには、蓋板と出入口との間に生じる隙間からの汚水の漏れを防止するとともに、塵芥を詰め込む際に出入口から外部への塵芥の飛散を防止することができるコンテナを提供する。【解決手段】コンパクタの押出口に接続される出入口４と、出入口４を閉止する移動可能な蓋板５とを備え、出入口４と押出口とを接続した状態で、コンパクタ内に設けられた押出板と蓋板５とを連結し、押出板の往復動によりコンパクタ内の塵芥が押出口から出入口４を経て圧縮移送されるようになされたコンテナにおいて、出入口４を形成するコンテナ後壁２の下端縁４１内側及び両側縁４２内側にはコンテナの内部前方に突出する堰部材８が配設されている。【選択図】  図３
2005272086.tif 000002
【特許請求の範囲】
【請求項１】
コンパクタの押出口に接続される出入口と、該出入口を閉止する移動可能な蓋板とを備え、上記出入口と押出口とを接続した状態で、上記コンパクタ内に設けられた押出板と上記蓋板とを連結し、押出板の往復動により上記コンパクタ内の塵芥が上記押出口から出入口を経て圧縮移送されるようになされたコンテナにおいて、
前記出入口を形成するコンテナ後壁の下端縁内側及び両側縁内側には当該コンテナの内部前方に突出する堰部材が配設されたことを特徴とするコンテナ。
【発明の詳細な説明】
【技術分野】
【０００１】
本発明は、コンパクタにより塵芥などを詰め込んで車輌によって移送するためのコンテナに関する。
【背景技術】
【０００２】
従来、この種のコンテナとしては、コンパクタの押出口に接続される出入口に、該出入口を閉止する移動可能な蓋板を備え、上記出入口と押出口とを接続した状態で、上記コンパクタ内に設けられた押出板と上記蓋板とを連結し、押出板の往復動作により上記コンパクタ内の塵芥を上記押出口から出入口を経て圧縮移送するように構成したものが提供されている（例えば、特許文献１参照。）。
【特許文献１】特開２００３−２９２１０６号公報
【発明の開示】
【発明が解決しようとする課題】
【０００３】
ところが、前記蓋板の周囲には出入口との間に当該蓋板が押出板とともに往復動作するために必要な所定のクリアランス（隙間）を設けている。従って、コンテナへの塵芥の詰め込みにより当該塵芥に含まれていた汚水がコンテナの底面に溜まっている場合において、コンテナをコンテナ荷役車輌と地上等との間で積降ろす際などに当該コンテナが傾斜すると内部の汚水が上記隙間を通じて外部に漏れ出し、作業環境の悪化を招くという問題があった。
【０００４】
また、蓋板を出入口よりも内部に押し込んで塵芥をコンテナ内に詰め込むように作動させるタイプのものでは、当該蓋板を出入口よりも内部に押し込んだときに塵芥の反発力などにより出入口周辺の塵芥が出入口の外部に回り込んで飛散する虞があった。
【０００５】
本発明は、上記問題点に鑑みてなされたもので、その目的とするところは、コンテナを移送する際などには、蓋板と出入口との間に生じる隙間からの汚水の漏れを防止するとともに、塵芥を詰め込む際に出入口から外部への塵芥の飛散を防止することができるコンテナを提供することにある。
【課題を解決するための手段】
【０００６】
上記の目的を達成するため、請求項１に係る発明のコンテナは、コンパクタの押出口に接続される出入口と、該出入口を閉止する移動可能な蓋板とを備え、上記出入口と押出口とを接続した状態で、上記コンパクタ内に設けられた押出板と上記蓋板とを連結し、押出板の往復動により上記コンパクタ内の塵芥が上記押出口から出入口を経て圧縮移送されるようになされたコンテナにおいて、前記出入口を形成するコンテナ後壁の下端縁内側及び両側縁内側には当該コンテナの内部前方に突出する堰部材が配設されたものである。
【発明の効果】
【０００７】
本発明によれば、コンテナの底面に溜まった汚水が出入口と蓋板との間に生じる隙間から外部に漏れるのを堰部材によってせき止めることができ、汚水が周囲に漏れ出すことによる周囲の作業環境の悪化を防ぐことができる。また、蓋板の往復動作により塵芥を出入口を通じて押し込んでいく際に、内部の塵芥の反発力などにより出入口周辺の塵芥がこの出入口の外部側に回り込もうとするのを堰部材によってせき止めることができ、外部への塵芥の飛散を防止することができる。
【発明を実施するための最良の形態】
【０００８】
以下、本発明の実施の形態について図面を参照して説明する。
【０００９】
図１及び図２は、コンテナの全体構成を示している。
【００１０】
コンテナ１は、上面や周側面が閉塞された所謂クローズドタイプのもので、その後端に後壁としてのテールゲート２が設けられている。
【００１１】
テールゲート２は、コンテナ１の後端上部位置に設けた左右一対の支軸３に揺動自在に支持されている。上記テールゲート２の略中央には出入口４が形成され、該出入口４には蓋板としてのプッシュプレート５が下方に配置されるとともに、該プッシュプレート５の上方にサブプレート６が配置され、これらプレート５、６によって上記出入口４を閉止するようになっている。
【００１２】
このコンテナ１は、図示はしないが従来周知のコンパクタにその後部が着脱自在になされている。コンパクタの内部には油圧シリンダで往復操作される押出板を備えている。そして、コンテナ１とコンパクタとの連結時において、上部に設けられたホッパから投入された塵芥を、押出板でコンパクタ前端の押出口に向って押し出し、この押出口に連通する前記出入口４を介してコンテナ１の内部へ圧縮移送するようにしている。
【００１３】
詳しくは、コンパクタの下面中央には図示しない連結シリンダが設けられ、コンテナ１を捕捉して引き寄せ、あるいは充填の終ったコンテナ１を押し出し操作するようにしている。この場合、コンテナ１は底部前後左右に設けられた車輪１ａを介して移動するようになっており、連結シリンダによるコンテナ１の引き寄せ操作、又は押し出し操作がスムーズに行えるようにしている。
【００１４】
そして、上記コンテナ１のテールゲート２がコンパクタの前端に接続されると、上記プッシュプレート５がコンパクタの押出板に係合されて出入口４とコンパクタの押出口とが連通（接続）する。これにより押出板の往復動作に供ってプッシュプレート５がコンパクタ内とコンテナ１内との間で往復動し、当該プッシュプレート５によってコンパクタの上部ホッパから投入された塵芥を押出口、出入口４を通じてコンテナ１の内部へ圧縮移送するようにしている。つまり、塵芥の圧縮移送は実質的にプッシュプレート５が行なうように構成されている。
【００１５】
また、上記テールゲート２には、出入口４にプッシュプレート５が閉止された状態で該プッシュプレート５を固縛する左右一対の閂部材５１が設けられている。該閂部材５１は、コンパクタの左右両側部に設けられた一対の伸縮シリンダ（図示せず）によりプッシュプレート５から抜差し自在になされている。具体的には、コンテナ１をコンパクタに接続したときに、伸縮シリンダの伸長により閂部材５１を抜き取って出入口４でのプッシュプレート５の固縛状態を解除する一方、伸縮シリンダの収縮により閂部材５１を外方から差し込んでプッシュプレート５を固縛するようになっている。
【００１６】
一方、前記サブプレート６は、上記プッシュプレート５を出入口４に配置した場合にこの出入口４の上部に生じる隙間を埋めるためのもので、前記プッシュプレート５と同様に出入口４の上部にサブプレート６が閉止された状態で該サブプレート６を固縛する左右一対の閂部材６１が設けられている。閂部材６１は、コンパクタの左右両側部に設けられた一対の伸縮シリンダ（図示せず）によりサブプレート６から抜差し自在になされている。具体的には、コンテナ１をコンパクタに接続したときに、伸縮シリンダの伸長により閂部材６１を抜き取って出入口４でのサブプレート６の固縛状態を解除する一方、伸縮シリンダの収縮により閂部材６１を外方から差し込んでサブプレート６を固縛するようになっている。
【００１７】
そして、このサブプレート６は、上述したようにプッシュプレート５により塵芥を詰め込む際には、コンパクタ側に設けられた図示しない移動機構と一体に接続され、この移動機構により上方に移動するようになっている。これによりプッシュプレート５の上部にはサブプレート６が上方に移動した分だけの空間部が生じ、この空間部によって塵芥の噛み込みなどを防止しながらプッシュプレート５によりコンテナ１内へ塵芥が円滑に詰め込まれるようにしている。
【００１８】
また、テールゲート２には、プッシュプレート５及びサブプレート６が出入口４に閉止された状態で、これらプッシュプレート５とサブプレート６との間に生じる隙間Ｐ（図１参照）を閉塞するカバー材７が開閉自在に設けられている。
【００１９】
カバー材７は、例えばゴム製の板状体からなり、プッシュプレート５及びサブプレート６の閉止時にはプッシュプレート５の上端部とサブプレート６の下端部に外側から当接して隙間Ｐを閉じるようになっている。このカバー材７は、略Ｕ字状のカバー腕７１の先端部（中間部）に取り付けられ、このカバー腕７１の両端部は、前記支軸３に回動自在に取り付けられている。
【００２０】
そして、コンテナ１をコンパクタに接続した際には、コンパクタ側に設けた図示しない当接部材がカバー腕７１の両端に設けられたカムレバー７２に前方から当接することにより、当該カバー腕７１を徐々に起立させながら図１において反時計回りの方向に回動させ、これによりカバー材７をコンテナ１の後端部上面上に退避させるようにしている。
【００２１】
なお、これ以外に図示はしないが、テールゲート２を閉じた状態で固縛保持する固縛機構、コンパクタに接続されたコンテナ１を移動不能に固定保持する固定機構なども設けられている。
【００２２】
そして、このように構成されたコンテナ１は、その前壁上部に係合ピン１ｂが設けられており、この係合ピン１ｂに図示しないコンテナ荷役車輌の荷役装置のフックを係止させて当該荷役装置によって車輌の車体上に積込むことができるとともに、その逆に車体上から前述したようなコンパクタを備えた施設や地上等に降ろすことができる。
【００２３】
また、荷役装置により車体上でコンテナ１を後方に傾動（ダンプ）させることでこのコンテナ１内の積載物（塵芥）をテールゲート２の開放によって外部に排出することができる。
【００２４】
ところで、図３に示すように、前記テールゲート２の内面２ａにおいて前記出入口４を形成する下端縁４１と両側縁４２には堰部材８が設けられている。堰部材８は上記下端縁４１内側及び両側縁４２内側から前方に突出した状態で配設されている。この堰部材８の突出長さはコンテナ１の規模等を考慮して後述する汚水の漏れや塵芥の漏れを防止できるように設定されている。
【００２５】
そして、このように出入口４の周囲に堰部材８を設けることによって次のような優れた効果を奏することができる。
【００２６】
まず、プッシュプレート５と出入口４との間には、当該プッシュプレート５の往復動作を許容するために必要な隙間が存在する。従って、コンテナ１に塵芥を圧縮して詰め込んだ際に当該塵芥に含まれた汚水がコンテナ１の底面に沢山溜まり、この状態でコンテナ１をコンテナ荷役車輌と設備等との間で積降ろすときなどに当該コンテナが傾斜すると上記隙間から汚水が外部に漏れ出る虞があるが、これを堰部材８、主に堰部材８の下部部分８ａによってせき止めることができる。このように堰部材８で汚水の漏れを防ぐことで、汚水の漏れによる周囲の作業環境の悪化を防ぐことができる。
【００２７】
また、プッシュプレート５の往復動作により塵芥を出入口４を通じて押し込んでいく際に、当該塵芥がコンテナ１内にある程度圧縮されて押し込まれると、塵芥の反発力などにより出入口４周辺の塵芥がこの出入口４の外側に回り込もうとするが、これを堰部材８によってせき止めることができ、これにより塵芥の詰め込み時におけるコンテナ１から外部への飛散を防止することができる。
【００２８】
特に、プッシュプレート５を出入口４よりも内部に押し込んで塵芥をコンテナ１に詰め込むように作動させるタイプのものにおいては、塵芥が出入口４の外側に回りこんで外部に漏れ易いため、これを堰部材８によって防止することができるので有効である。
【図面の簡単な説明】
【００２９】
【図１】コンテナの全体構成を示す側面図である。
【図２】コンテナの全体構成を示す背面図である。
【図３】本発明の主要部をなすテールゲートの内面に設けられた堰部材を示す斜視図である。
【符号の説明】
【００３０】
１  コンテナ
２  テールゲート（後壁）
４  出入口
４１  下端縁
４２  両側縁
５  プッシュプレート（蓋板）
８  堰部材
【図１】
2005272086.tif 000003
【図２】
2005272086.tif 000004
【図３】
2005272086.tif 000005